(57)【要約】【課題】、被写体側から撮像禁止制御、許可制御を容易に実現できるとともに、多様な状況や機器に応じて適切に撮像禁止／許可の制御を実現できるようにする。【解決手段】撮像制御をしたい人物等は発光装置を装着する。発光装置は撮像禁止を示す撮像制御情報を発光信号により出力する。撮像装置では、撮像時に発光信号を検出するが、撮像禁止を示す撮像制御信号が検出された場合は、撮像画像信号の記録処理を禁止する制御を行う。【選択図】図７
2008294654.tif 000002
【特許請求の範囲】
【請求項１】
被写体に装着される発光装置と、撮像装置とから成る撮像システムとして、
上記発光装置は、
少なくとも撮像禁止を示す撮像制御情報を生成することができる情報生成手段と、
上記情報生成部で生成された撮像制御情報を発光信号として出力する出力手段とを備え、
上記撮像装置は、
被写体からの入射光の撮像処理を行って撮像画像信号を生成する撮像処理手段と、
上記撮像処理手段で得られた撮像画像信号の記録処理を行う記録処理手段と、
上記撮像処理手段で得られた撮像画像信号を解析して上記発光信号を検出する発光信号検出手段と、
上記発光信号検出手段で検出された発光信号として撮像禁止を示す撮像制御情報が得られることに応じて、上記撮像処理手段で得られる撮像画像信号についての上記記録処理手段による記録処理を禁止する制御を行う制御手段と、
を備えたことを特徴とする撮像システム。
【請求項２】
上記撮像装置の制御手段は、特定の発光装置の発光装置識別情報を撮像許可登録する処理を行うとともに、
上記発光装置は、発光装置識別情報を含む撮像制御情報を発光信号として出力するようにされ、
上記撮像装置の制御手段は、上記発光信号検出手段で検出された発光信号として撮像禁止を示す撮像制御情報が得られた場合であっても、その発光信号に含まれる発光装置識別情報が、撮像許可登録されている発光装置識別情報であった場合は、上記撮像処理手段で得られる撮像画像信号についての上記記録処理手段による記録処理を許可する制御を行うことを特徴とする請求項１に記載の撮像システム。
【請求項３】
上記撮像装置は、上記撮像処理手段による撮像方向を検出する方位検出手段をさらに備え、
上記制御手段は、上記発光信号検出手段で検出された発光信号として撮像禁止を示す撮像制御情報が得られた時点から所定期間は、上記時点で上記方位検出手段で検出された撮像方向と同方向と判定する撮像方向での撮像による撮像画像信号の記録処理を禁止する制御を行うことを特徴とする請求項１に記載の撮像システム。
【請求項４】
被写体からの入射光の撮像処理を行って撮像画像信号を生成する撮像処理手段と、
上記撮像処理手段で得られた撮像画像信号の記録処理を行う記録処理手段と、
上記撮像処理手段で得られた撮像画像信号を解析して、外部の発光装置から出力された発光信号を検出する発光信号検出手段と、
上記発光信号検出手段で検出された発光信号として撮像禁止を示す撮像制御情報が得られることに応じて、上記撮像処理手段で得られる撮像画像信号についての上記記録処理手段による記録処理を禁止する制御を行う制御手段と、
を備えたことを特徴とする撮像装置。
【請求項５】
上記制御手段は、特定の発光装置の発光装置識別情報を撮像許可登録する処理を行うとともに、上記発光信号検出手段で検出された発光信号として撮像禁止を示す撮像制御情報が得られた場合であっても、その発光信号に含まれる発光装置識別情報が、撮像許可登録されている発光装置識別情報であった場合は、上記撮像処理手段で得られる撮像画像信号についての上記記録処理手段による記録処理を許可する制御を行うことを特徴とする請求項４に記載の撮像装置。
【請求項６】
上記撮像処理手段による撮像方向を検出する方位検出手段をさらに備え、
上記制御手段は、上記発光信号検出手段で検出された発光信号として撮像禁止を示す撮像制御情報が得られた時点から所定期間は、上記時点で上記方位検出手段で検出された撮像方向と同方向と判定する撮像方向での撮像による撮像画像信号の記録処理を禁止する制御を行うことを特徴とする請求項４に記載の撮像装置。
【請求項７】
被写体からの入射光の撮像処理を行って撮像画像信号を生成するステップと、
上記撮像画像信号を解析して、外部の発光装置から出力された発光信号を検出するステップと、
上記発光信号として撮像禁止を示す撮像制御情報が検出されない場合は上記撮像画像信号の記録処理を許可し、上記発光信号として撮像禁止を示す撮像制御情報が得られた場合は上記撮像画像信号についての記録処理を禁止するステップと、
を備えたことを特徴とする撮像方法。
【請求項８】
被写体からの入射光の撮像処理を行って撮像画像信号を生成する撮像処理手段と、
上記撮像処理手段で得られた撮像画像信号の記録処理を行う記録処理手段と、
上記撮像処理手段で得られた撮像画像信号を解析して、外部の発光装置から出力された発光信号を検出する発光信号検出手段と、
を備えた撮像装置の撮像制御方法として、
上記発光信号検出手段で検出された発光信号として撮像禁止を示す撮像制御情報が得られたか否かを判断するステップと、
撮像禁止を示す撮像制御情報が得られたと判断したことに応じて、上記撮像処理手段で得られる撮像画像信号についての上記記録処理手段による記録処理を禁止するステップと、
を備えたことを特徴とする撮像制御方法。
【請求項９】
被写体からの入射光の撮像処理を行って撮像画像信号を生成する撮像処理手段と、
上記撮像処理手段で得られた撮像画像信号の記録処理を行う記録処理手段と、
上記撮像処理手段で得られた撮像画像信号を解析して、外部の発光装置から出力された発光信号を検出する発光信号検出手段と、
を備えた撮像装置の動作制御のためのプログラムとして、
上記発光信号検出手段で検出された発光信号として撮像禁止を示す撮像制御情報が得られたか否かを判断するステップと、
撮像禁止を示す撮像制御情報が得られたと判断したことに応じて、上記撮像処理手段で得られる撮像画像信号についての上記記録処理手段による記録処理を禁止するステップとを演算処理装置に実行させるプログラム。
【発明の詳細な説明】
【技術分野】
【０００１】
本発明は、撮像装置と発光装置とから成る撮像システム、及び撮像装置とその撮像方法、さらには撮像装置に適用できる撮像制御方法と撮像制御のためのプログラムに関する。
【背景技術】
【０００２】
【特許文献１】特開２００５−２２３６０１号公報
【０００３】
ビデオカメラやデジタルスチルカメラなどの撮像装置が著しく普及すると共に、装置の小型化も促進されている。この状況においては、手軽な撮像により個人のプライバシーや肖像権を侵害する行為が懸念される。
【０００４】
無断で撮像されることを嫌う人は多いが、被写体の意思により撮像を制御する小規模のシステムは未だ開発されていない。
そのため、例えば上記特許文献１等に提案されている技術を利用することで、いわゆる盗撮等を防止することが考えられている。
特許文献１の技術では、撮像されたくない被写体、例えば絵画や書籍などに特定の模様情報やＩＣタグを埋め込んでおく。カメラ側では、その特定の模様情報やＩＣタグ情報を認識して撮像を強制的に制限（禁止）する。また、撮像を特に禁止しない被写体にはこのような特定の模様情報やＩＣタグを埋め込まないようにすれば、カメラがその被写体に特定の模様情報やＩＣタグ情報がないことを認識して撮像を実行できる。
これによって、撮像されたくない被写体について、いわゆるデジタル万引きの被害に遭うことを回避することができると共に、撮像してもよいとする被写体については自由に撮像を許可することができる。
【発明の開示】
【発明が解決しようとする課題】
【０００５】
しかしながら、上記技術では、人が自分に対する撮像を、状況に応じて任意に禁止したり許可したりしたいというような要望に、容易に対応できない。
また、特定のカメラのみ撮像を許可したいような要望にも対応できない。
そこで本発明では、撮像（撮像画像の記録）に関して、禁止制御、許可制御を容易に実現できるとともに、多様な状況や機器に応じて適切に撮像禁止／許可の制御を実現できるようにすることを目的とする。
【課題を解決するための手段】
【０００６】
本発明の撮像システムは、被写体に装着される発光装置と、撮像装置とから成る。
上記発光装置は、少なくとも撮像禁止を示す撮像制御情報を生成することができる情報生成手段と、上記情報生成部で生成された撮像制御情報を発光信号として出力する出力手段とを備える。
上記撮像装置は、被写体からの入射光の撮像処理を行って撮像画像信号を生成する撮像処理手段と、上記撮像処理手段で得られた撮像画像信号の記録処理を行う記録処理手段と、上記撮像処理手段で得られた撮像画像信号を解析して上記発光信号を検出する発光信号検出手段と、上記発光信号検出手段で検出された発光信号として撮像禁止を示す撮像制御情報が得られることに応じて、上記撮像処理手段で得られる撮像画像信号についての上記記録処理手段による記録処理を禁止する制御を行う制御手段とを備える。
【０００７】
また上記撮像装置の制御手段は、特定の発光装置の発光装置識別情報を撮像許可登録する処理を行う。上記発光装置は、発光装置識別情報を含む撮像制御情報を発光信号として出力する。この場合、上記撮像装置の制御手段は、上記発光信号検出手段で検出された発光信号として撮像禁止を示す撮像制御情報が得られた場合であっても、その発光信号に含まれる発光装置識別情報が、撮像許可登録されている発光装置識別情報であった場合は、上記撮像処理手段で得られる撮像画像信号についての上記記録処理手段による記録処理を許可する制御を行う。
【０００８】
また上記撮像装置は、上記撮像処理手段による撮像方向を検出する方位検出手段をさらに備え、上記制御手段は、上記発光信号検出手段で検出された発光信号として撮像禁止を示す撮像制御情報が得られた時点から所定期間は、上記時点で上記方位検出手段で検出された撮像方向と同方向と判定する撮像方向での撮像による撮像画像信号の記録処理を禁止する制御を行う。
【０００９】
本発明の撮像装置は、上記撮像システムを構成する撮像装置である。
本発明の撮像方法は、被写体からの入射光の撮像処理を行って撮像画像信号を生成するステップと、上記撮像画像信号を解析して、外部の発光装置から出力された発光信号を検出するステップと、上記発光信号として撮像禁止を示す撮像制御情報が検出されない場合は上記撮像画像信号の記録処理を許可し、上記発光信号として撮像禁止を示す撮像制御情報が得られた場合は上記撮像画像信号についての記録処理を禁止するステップとを備える。
【００１０】
本発明の撮像制御方法は、上記撮像処理手段、上記記録処理手段、上記発光信号検出手段を備えた撮像装置の撮像制御方法であり、上記発光信号検出手段で検出された発光信号として撮像禁止を示す撮像制御情報が得られたか否かを判断するステップと、撮像禁止を示す撮像制御情報が得られたと判断したことに応じて、上記撮像処理手段で得られる撮像画像信号についての上記記録処理手段による記録処理を禁止するステップとを備える。
本発明のプログラムは、この撮像制御方法を撮像装置の演算処理装置に実行させるプログラムである。
【００１１】
このような本発明によれば、発光装置を装着した人物や物品等の被写体を撮像装置で撮像しようとする際には、撮像装置側では発光信号検出手段により発光装置からの発光信号を検出することになる。そして発光信号として撮像禁止を示す撮像制御信号が検出された場合は、制御手段は、撮像画像信号の記録処理を禁止する制御を行う。
つまり被写体側の発光装置からの発光信号に、その撮像禁止（撮像画像信号の記録処理の禁止）を示す情報を含ませれば、その撮像装置による被写体の撮像を強制的に制限することが可能となり、許可しない撮像、例えば盗撮等を防止することができる。
もちろん発光信号に、撮像禁止を示す情報を含まないようにすれば（撮像許可としての情報を付加すれば）、撮像装置側で撮像画像信号の記録処理の禁止制御は行われないため、自由に撮像画像信号の記録処理を実行できる。従って発光装置側で撮像の禁止／許可を任意に制御できる。
また、特定の撮像装置のみに撮像（撮像画像信号の記録処理）を許可するような制御も可能となる。即ち、発光信号には発光装置識別情報が含まれるようにするとともに、撮像を許可する撮像装置については、その撮像装置側に、発光装置識別情報を登録するようにする。撮像装置側では、撮像禁止を示す発光信号を検出しても、その発光信号に含まれる発光装置識別情報が、撮像許可登録されている場合は、撮像画像信号の記録処理を実行できるようにすれ。これにより特定の撮像装置のみに撮像を許可し、他の撮像装置には撮像を禁止するようなことも可能となる。
また、撮像装置側では、撮像禁止の信号を検出してから所定期間は同一とみなされる撮像方向での撮像（撮像画像信号の記録処理）を禁止制御を行うようにすることで、撮像装置側で発光信号が撮像画像内で検出できないような状態にして撮像を行う場合も、適切に禁止制御できる。
【発明の効果】
【００１２】
本発明によれば、発光装置を装着した被写体側で、任意かつ容易に撮像装置による撮像（撮像画像信号の記録処理）を禁止させることができる。これにより例えば盗撮などで肖像権やプライバシーが侵害されていた人々が、自分の意思で撮像を制限することができるという効果がある。
また、特定の撮像装置に対して撮像を許可することも可能で、意志や状況に応じた適切な撮像禁止／許可の制御が実現ができる。
【発明を実施するための最良の形態】
【００１３】
以下、本発明の実施の形態を説明する。説明は次の順序で行う。
［１．撮像システム概要］
［２．発光装置の構成例］
［３．撮像装置の構成例］
［４．撮像制御動作］
［５．ペアリング処理例］
［６．撮像時の処理例］
［７．実施の形態の効果、変形例、及びプログラム］
【００１４】
［１．撮像システム概要］
実施の形態の撮像システムとして、図１にバッジ型の発光装置１と、デジタルスチルカメラとしての撮像装置１０を示す。
【００１５】
発光装置１は、例えば自分をむやみに撮像されたくないと考えるユーザが衣服等に装着できる構造とされる。例えば図のようにユーザが胸のあたりに装着できるようにされていればよい。なお後述するが、発光装置１はもちろんバッジ型の形態に限られるものではない。
【００１６】
この発光装置は、例えば基本的には常時、発光信号を出力している。例えば光パルスパターン発光として発光信号を出力する。但し発光信号の出力は常時ではなく、ユーザの操作や何らかのトリガによって発光信号の出力を開始／終了させるようにしてもよい。
発光信号は、可視光を用いてもよいし、赤外光などの非可視光によるものであってもよい。
この発光信号は撮像制御情報を可視光又は非可視光のパルスパターンとしたものである。そして発光信号として送出する撮像制御情報としては、撮像装置１０に対して撮像を禁止する情報を含むことができる。なお、この場合の撮像禁止とは、被写体光を撮像素子で光電変換して撮像画像信号を生成するという意味の撮像を禁止するのではなく、その撮像画像信号を静止画又は動画として記録する処理を禁止するという意味とすればよい。
【００１７】
撮像装置１０では、例えばこのように発光装置１を装着したユーザを被写体として撮像方向を定めた場合、そのプレビュー（シャッタ操作を実行する前のモニタ状態）の際の撮像画像信号には、発光信号が含まれることになる。撮像装置１０では、被写体光が撮像素子で光電変換されて生成された撮像画像信号について解析処理を行い、プレビュー中の撮像画像に発光信号が含まれているか否か、また含まれていた場合は、その発光信号をデコードして撮像制御情報の内容を検出する。
もし撮像禁止の情報が検出された場合は、撮像装置１０の使用者がシャッタ操作を行っても撮像、即ち撮像画像信号の記録処理は行わないようにする。換言すれば、発光装置１を装着した人物を被写体とする撮像ができないことになる。
【００１８】
つまり、発光装置１を装着した人物は、自分がむやみに他人の撮像装置１０によって撮像されたくないと考える場合は、発光装置１から撮像禁止の情報を含む発光信号を常時出力させるようにしておけばよい。
なお、詳しくは後述するが、特定の撮像装置１に対して撮像を許可することも可能である。
また、撮像装置１０側でズーム操作を行うことなどにより、撮像画像信号内に発光装置１が含まれなくなる場合もある。例えば発光装置１を胸に装着したユーザの顔のみをアップで撮像するような場合である。ところが本例の場合、このように発光装置１が撮像装置１０の撮像画像から外れて発光信号が認識できなくなったような場合でも、撮像禁止処理がなされるようにしている。
【００１９】
［２．発光装置の構成例］
図２に発光装置１の構成例を示す。図２（ａ）は発光装置１の内部構成を、図２（ｂ）は例えばバッジ型の発光装置１の裏面の操作子の例を示している。
図２（ｂ）のように、発光装置１の裏面側には、ユーザが操作する操作子として、禁止／許可設定スイッチ６と、ペアリングスイッチ７が形成されている。禁止／許可設定スイッチ６は、例えばスライドスイッチとされ、ユーザが撮像禁止制御を行いたい場合は禁止ポジションとし、撮像許可としたい場合は許可ポジションとするというように、任意にスライド位置を操作できる。
ペアリングスイッチ７は、後述するペアリング処理を行う際に、ユーザが押圧する押圧キーとされている。
なお、図示していないが、この発光装置１の裏面には、ユーザが衣服等に発光装置１を取り付けるための何らかの装着機構が形成されているものとする。
【００２０】
発光装置１の内部構成としては、図２（ａ）に示すように送出情報生成部２，メモリ部３，変調部４，発光部５が設けられる。
送出情報生成部２は、例えばマイクロコンピュータもしくはシグナルプロセッサ等により構成される。この送出情報生成部２は、禁止／許可設定スイッチ６の操作位置やペアリングスイッチ７の操作状態検知を行う。
またメモリ部３は例えば不揮発性の固体メモリにより形成され、このメモリ部３には、発光装置１の個体毎に付与されている発光装置ＩＤが記憶されている。
送出情報生成部２は、禁止／許可設定スイッチ６の操作位置やペアリングスイッチ７の操作状態、及びメモリ部３に記憶されている発光装置ＩＤにより、撮像制御情報を生成する。
【００２１】
撮像制御情報の一例を図３に示す。撮像制御情報は例えば２２ビットの情報とされ、先頭の１ビットがペアリングビット、次の１ビットが撮像制御ビット、その後の２０ビットが発光装置ＩＤとされる。なお、発光装置ＩＤを２０ビットとするのは一例にすぎない。
２０ビットの発光装置ＩＤはメモリ部３に記憶されている情報であり、発光装置１毎に固有の識別情報である。送出情報生成部２は、メモリ部３から読み出した発光装置ＩＤを、この撮像制御情報の後半の２０ビットに当てはめる。
そして送出情報生成部２は、ペアリングスイッチ７と禁止／許可設定スイッチ６の操作状況に応じてペアリングビットと撮像制御ビットの値を設定する。通常時、即ちペアリングスイッチ７が押圧されていない場合は、ペアリングビットを「０」とし、一方、ペアリングスイッチ７が押圧されている期間は、ペアリングビットを「１」とする。
また禁止／許可設定スイッチ６が「許可」の位置とされている場合は、撮像制御ビットを「０」とし、禁止／許可設定スイッチ６が「禁止」の位置とされている場合は、撮像制御ビットを「１」とする。
送出情報生成部２は、このような撮像制御情報を生成し、常時変調部４に供給する。なお、発光装置ＩＤは固定であるため、ペアリングスイッチ７や禁止／許可設定スイッチ６が操作された際に、送出情報生成部２から出力される撮像制御情報の内容（ペアリングビット又は撮像制御ビットの値）が変化することになる。
【００２２】
なお実際には送出情報生成部２は、この２２ビットの撮像制御情報に加え、発光装置１による発光信号であることを撮像装置１０側に認識させるための識別子や、同期ビット情報を付加した情報を、出力するようにするとよい。
【００２３】
変調部４は、供給された撮像制御情報に基づいて、発光部５を輝度変調する。例えば発光部５はＬＥＤ（Light Emitting Diode）等の発光素子とされ、変調部４はその発光駆動回路とされる。変調部４は、２２ビットの撮像制御情報のパルスパターンに基づく発光が行われるように発光部５を発光駆動する。
このような発光装置１により、ペアリングビット、撮像制御ビット、発光装置ＩＤを含む発光信号が、常時出力されることになる。
【００２４】
［３．撮像装置の構成例］
続いて撮像装置１０の構成例を図４で説明する。
撮像装置１０は、撮像部１１，撮像信号処理部１２，表示部１３，ストレージ部１４、発光信号検出部１５，制御部１６，操作部１７，方位計測部１８を備える。
【００２５】
制御部１６は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、撮像装置１０の全体を制御する。この制御部１６は内部のＲＯＭ等に保持したプログラムに基づいて、各種演算処理を行ったり、各部と制御信号等のやりとりを行い、各部に所要の動作を実行させる。
制御部１６内にはメモリ部１６ａを示しているが、これは上記ＲＯＭ、ＲＡＭ、不揮発性メモリ部に相当する。不揮発性メモリ部には、例えば後述するペアリング処理において発光装置ＩＤの登録情報が記憶される。またメモリ部１６ａのＲＡＭは、各種演算処理のワーク領域として用いられる。
【００２６】
撮像部１１は、撮像光学系、撮像素子部、タイミングジェネレータ、アナログフロントエンドを有する。
撮像部１１における撮像光学系では、撮像レンズや、絞り、ズームレンズ、フォーカスレンズなどを備えて構成されるレンズ系や、レンズ系に対してフォーカス動作やズーム動作を行わせるための駆動系等が備えられる。
また撮像部１１における撮像素子部では、撮像光学系で得られる撮像光を検出し、光電変換を行うことで撮像信号を生成する固体撮像素子アレイが設けられる。固体撮像素子アレイは、例えばＣＣＤ（Charge Coupled Device）センサアレイや、ＣＭＯＳ（Complementary Metal Oxide Semiconductor）センサアレイとされる。
また撮像部１１におけるアナログフロントエンドでは、固体撮像素子によって得られる信号に対するゲイン調整や波形整形を行うサンプルホールド／ＡＧＣ(Automatic Gain Control)回路や、感度調整のためのゲインアンプ、ビデオＡ／Ｄコンバータを備え、例えばデジタルデータとしての撮像画像データを出力する。
撮像部１１におけるタイミングジェネレータは、固体撮像素子に対するシャッタパルスや、アナログフロントエンドで用いるサンプリングパルスなどを生成する。
【００２７】
撮像信号処理部１２は、撮像部１１で得られた撮像画像データについて、各種デジタル信号処理を行う。例えば撮像画像データに対してホワイトバランス処理、輝度処理、色信号処理、ぶれ補正処理などを行う。
また、撮像信号処理部１２は、撮像画像データの記録処理のための圧縮処理も行う。さらにモニタ表示（プレビュー表示）や再生画像表示のための画像処理なども行う。
【００２８】
ストレージ部１４は撮像画像データの保存に用いられる。このストレージ部１４は、ＲＡＭ或いはフラッシュメモリなどの固体メモリにより構成されても良いし、例えばＨＤＤ（Hard Disk Drive）により構成されてもよい。また内蔵の記録媒体ではなく、可搬性の記録媒体、例えば固体メモリを内蔵したメモリカード、光ディスク、光磁気ディスク、ホログラムメモリなどの記録媒体に対応する記録再生ドライブなどとされても良い。
もちろん、固体メモリやＨＤＤ等の内蔵タイプのメモリと、可搬性記録媒体に対する記録再生ドライブの両方が搭載されてもよい。
このストレージ部１４は、制御部１６の制御に基づいて、撮像信号処理部１２から供給される撮像画像データを記録し、保存する。
また制御部１６の制御に基づいて、記録したデータを読み出し、例えば撮像信号処理部１２を介して表示部１３に供給することもできる。
【００２９】
表示部１３は、例えば液晶パネル等による表示パネル部と、表示パネル部を表示駆動する表示駆動回路により構成される。
この表示部１３に対しては、撮像信号処理部１２からプレビュー画像データや再生画像データが供給され、表示部１３でこれらの画像表示が行われる。プレビュー画像データとは、撮像部１１で撮像され、撮像信号処理部１２で処理された現在の被写体画像の撮像画像データである。再生画像とは、ストレージ部１４において再生された画像としての画像データである。
【００３０】
発光信号検出部１５は、撮像信号処理部１２から撮像画像データが供給され、その撮像画像データの解析処理をおこなって、撮像画像として発光装置１から出力された発光信号が含まれているか否かを検出する。また、発光信号が含まれている場合は、その発光信号のパルスパターンとして送出されてきた撮像制御情報をデコードする。
プレビュー時には、撮像部１１で撮像された各フレームの撮像画像が動画としてのプレビュー画像として表示部１３に供給され、これによって撮像装置１０のユーザは、表示部１３を見ながら被写体を決めたり、ズーム操作等を行って、撮像する対象としての被写体画像を決めることになる。例えばこのプレビュー時やシャッタ操作時になどに、撮像信号処理部１２は、各フレームの撮像画像データを発光信号検出部１５に供給する。発光信号検出部１５は、このように供給された撮像画像データにおいて発光パルスパターンが含まれているか否かの解析処理を行うことになる。
撮像画像データ内で発光信号が検出された場合、連続する各フレームの画像から、その発光パターンを解析し、上述した図３のような撮像制御情報をデコードする。発光信号検出部１５は、発光信号の検出有無と、発光信号からデコードした撮像制御情報を、逐次制御部１６に通知する。
【００３１】
操作部１７としては、ユーザの操作のための各種操作子が設けられる。例えばキー、ダイヤル等の操作子を有するようにし、キー操作等としてのユーザの操作を検知する構成としてもよいしタッチパッドやタッチパネルを設けても良い。例えば表示部２においてタッチパネルを配し、表示画面上にユーザがタッチすることで操作入力が行われるようにしてもよい。
これらの操作子による操作として、例えば、電源オン／オフ操作、撮像系の操作（例えばシャッタ操作、ズーム、フォーカス、絞り調整等の操作や、信号処理の指示操作）、表示関連操作（例えば表示内容の選択や表示調整操作）などが実行可能とされる。
操作部１７の操作情報は制御部１６に供給される。制御部１６は操作情報に基づいて各部を制御する。例えば撮像部１１でのズーム動作、フォーカス動作等を制御したり、シャッタ操作に応じて撮像画像データの記録処理をストレージ部１４に実行させる制御を行ったり、表示部１３での表示内容の制御を行う。
【００３２】
方位計測部１８は、方位センサを有し、この撮像装置１０による撮像方向としての方位θを検出する。そして検出した撮像方向θの情報を制御部１６に供給する。
【００３３】
以上、撮像装置１０の構成を示したが、これは一例にすぎない。実際に実施される動作例や機能に応じて各種の構成要素の追加や削除は当然考えられる。
【００３４】
［４．撮像制御動作］
以上のような構成の発光装置１と撮像装置１０による撮像制御動作について例を挙げて説明する。
図５（ａ）は、撮像装置１０が、発光装置１を装着した人物Ａに向けられている状態での、撮像装置１０でのプレビュー画像を示している。即ち撮像部１１で撮像されている撮像画像データにより、表示部１３にプレビュー表示されている画像である。
例えば撮像装置１０の使用者（以下、カメラマン）は、プレビュー画像に含まれている発光装置１を装着した人物Ａとは無関係な人物であり、人物Ａは、他人にむやみに撮像されることを嫌って、発光装置１の禁止／許可設定スイッチ６を禁止ポジションにした上で発光装置１を装着しているとする。
【００３５】
例えばカメラマンが図５（ａ）のようなプレビュー画像を被写体と定めてシャッタ操作を行ったとする。ところがその場合、撮像装置１０は、発光信号検出部１５が撮像画像データ内で発光装置１からの発光信号を検出し、また撮像制御ビット＝１（撮像禁止）となっていることを検出する。このため撮像装置１０の制御部１６は、撮像禁止制御の処理を行う。そしてシャッタ操作に対して、図５（ｄ）のように「撮影禁止」というメッセージ表示を表示部１３に行い、カメラマンに対して撮像不可の旨を伝える。
つまり、制御部１６はシャッタ操作に応じても、そのタイミングでの１フレームの撮像画像データを、撮像した静止画としてストレージ部１４で記録させる処理を実行しない。これによって人物Ａは意志に反して撮像されることを避けることができる。
【００３６】
また、カメラマンが図５（ａ）のプレビュー画像の状態でシャッタ操作を行わず、例えば人物Ａの顔をアップで捉えようとしてズーム操作を行い、プレビュー画像（撮像部１１で捉えている撮像画像データ）が図５（ｂ）→図５（ｃ）のようになったとする。
例えば図５（ｃ）の撮像画像データが得られている状態では、その撮像画像データ内に発光装置１が含まれない。このため、この時点では、発光信号検出部１５は発光信号を検出できず、撮像禁止の情報も認識できない。
ところが撮像装置１０の制御部１６は、一旦撮像禁止の情報を含む発光信号が認識されてから所定期間は、発光信号認識時と同一方向とみなされる撮像方向の撮像の禁止制御を行う。同一方向とみなされる撮像方向とは、例えば発光信号認識時の撮像方向を基準として所定角度範囲以内の撮像方向などとすればよい。
このため、例えば図５（ｃ）のプレビュー画像の状態でカメラマンがシャッタ操作を行った場合も、制御部１６は、撮像禁止制御の処理を行う。そして図５（ｄ）のように「撮影禁止」というメッセージ表示を表示部１３に行い、カメラマンに対して撮像不可の旨を伝える。
つまりこの場合も、制御部１６はシャッタ操作に応じても、そのタイミングでの１フレームの撮像画像データを、撮像した静止画としてストレージ部１４で記録させる処理を実行しない。
従って、例えばカメラマンが人物Ａの発光装置１を避けるように、ズーム操作を行ったり、或いは同一方向と見なされる範囲で多少撮像方向をずらしたりしたとしても、人物Ａは意志に反して撮像されることを避けることができる。
特に、一般に撮像の際には、広角状態でプレビューを開始し、そこからカメラマンがズーム操作を行ったりして被写体を決めるものであったり、プレビューしながら撮像方向を決めたりするため、発光装置１を装着した人物Ａが撮像方向に居た場合、その発光装置１（発光信号）が一瞬でもプレビュー画像に入り込む可能性は非常に高い。このため、発光信号により撮像禁止を認識した場合、所定期間は同一とみなされる撮像方向の撮像について撮像禁止制御を行うことで、被写体側の撮像されたくないという意志を適切に反映して撮像禁止とすることができる。
【００３７】
一方、もし人物Ａが、カメラマンに撮像してもらいたいような場合、或いは現在は誰に写されてもかまわない場合などは、発光装置１の禁止／許可設定スイッチ６を許可ポジションにしておけばよい。
その場合、撮像装置１０側では、発光信号を認識しても、撮像制御ビット＝０（撮像許可）としての撮像制御情報を認識することになり、制御部１６は特に撮像禁止制御を行わない。つまり、図５（ａ）のような状況であっても、シャッタ操作に応じて通常に撮像画像データを撮像した静止画像としてストレージ部１４において記録することができる。
【００３８】
さらに、或る人物が、特定のカメラマンには撮像を許可するが、他の不特定のカメラマンによる撮像は禁止したいという場合もある。
例えばコンサート会場でアーティストが、契約したカメラマンにのみ撮像を許可し、一般の客などによる無断撮像を避けたいような場合である。
そのような場合、アーティストが装着する発光装置１と、契約カメラマンの撮像装置１０の間で、予めペアリング処理をしておく。これは、発光装置１の発光装置ＩＤを、契約カメラマンの撮像装置１０の内部に登録する処理である。
その後、例えばコンサート中は、アーティストは発光装置１を装着する。この際、禁止／許可設定スイッチ６は禁止ポジションとしておく。
ペアリング処理された撮像装置１０は、アーティストを被写体として撮像を行う場合、発光装置１からの発光信号を認識し、また撮像制御ビット＝１（撮像禁止）を認識するが、その発光信号に含まれている発光装置ＩＤが、ペアリング処理により登録された発光装置ＩＤであることにより、制御部１６は撮像禁止制御を行わない。これにより契約カメラマンの撮像装置１０によれば、自由に撮像を行うことができる。
一方、不特定多数の他のカメラマンの撮像装置１０は、ペアリング処理がなされていないため、アーティストを被写体として撮像しようとしても、発光装置１からの発光信号を認識し、また撮像制御ビット＝１（撮像禁止）を認識して撮像禁止制御が行われるため撮像（撮像画像データの記録）を行うことができない。
【００３９】
［５．ペアリング処理例］
上述したペアリング処理について説明する。図６はペアリング処理として撮像装置１０の制御部１６が実行する処理を示している。
ペアリング処理を行う際には、撮像装置１０側では、使用者が操作部１７から操作を行ってペアリングモードを指示する。
ペアリングモード操作に応じて、制御部１６は図６の処理をステップＦ１０１からＦ１０２に進め、ペアリング処理を開始する。まず制御部１６は、プレビュー処理を開始させる。即ち撮像部１１での撮像を行い、表示部１３でプレビュー表示を実行させるとともに、撮像画像データが発光信号検出部１５に供給される状態とする。
【００４０】
この状態で、発光装置１のペアリングスイッチ７を押し、発光信号を撮像装置１０に認識させる。ペアリングスイッチ７を押している期間は、図３のペアリングビット＝１の状態で発光信号が出力される。
撮像装置１０が発光装置１を撮像する（プレビュー状態で撮像方向を発光装置１に向ける）ことで、発光信号検出部１５に発光信号が検出されることになる。
制御部１６は、発光信号検出部１５からの通知によりステップＦ１０３，Ｆ１０４，Ｆ１０５の判断を行う。
【００４１】
発光信号検出部１５で発光信号検出の通知があった場合は、ステップＦ１０３からＦ１０４に進み、発光信号検出部１５からの撮像制御情報のデコードデータを確認して、ペアリングビット＝１であるか否かを確認する。
もしペアリングビット＝１であればステップＦ１０６に進み、撮像制御情報に含まれている発光装置ＩＤの登録処理を行う。即ち内部のメモリ部１６ａの不揮発性メモリ部などにおいて、撮像許可登録として発光装置ＩＤを登録する領域を用意しておき、今回の発光装置ＩＤを、撮像を許可する発光装置ＩＤとして登録する。
そしてステップＦ１０７で、表示部１３に登録完了のメッセージ表示を行い、ペアリングモードの処理を終了する。
【００４２】
一方、ステップＦ１０３で発光信号検出とされず、或いはステップＦ１０４でペアリングビット＝１が検出されない状態が継続している状態で、所定時間経過した場合、或いはユーザがペアリングモード終了操作や、他の動作を指示する操作を行ったうような場合などは、登録エラーと判定し、処理をステップＦ１０５からＦ１０８に進める。そして表示部１３で登録エラーのメッセージ表示を行いペアリングモードの処理を終了する。
例えば登録時に発光装置１側でペアリングスイッチ７を押していなかったり、発光装置１を撮像装置１０が被写体として捉えない状態が一定時間継続した場合や、ユーザが撮像装置１０で他の操作を行った場合は、ユーザにペアリングモード遂行の意志が無いとして処理を終えるものである。
【００４３】
なお、以上はペアリングモードの処理の一例であり、他にも発光装置ＩＤの登録のための処理例は各種考えられる。
例えば撮像装置１０側でのペアリングモードの操作を不要とし、発光装置１側でペアリングスイッチ７を押した状態で撮像装置１０が発光装置１を撮像したら（つまり撮像装置１０側でペアリングビット＝１を認識したら）、その際に発光装置ＩＤを登録するという簡易な処理例も考えられる。
【００４４】
またペアリング処理により登録した発光装置ＩＤは、登録以降は無期限で有効（つまり常にペアリング状態が継続される）としてもよいが、或る程度の期間で登録が無効となるようにしてもよい。例えば一旦ペアリング処理を行った後は、２４時間、１週間、２時間など、特定の期間を経過したら、自動的にその発光装置ＩＤの登録が抹消されるようにしてもよい。一時的に撮像を許可するようにするためである。また、許可する期間を、ペアリング処理時に選択できるようにしてもよい。
【００４５】
［６．撮像時の処理例］
撮像装置１０の制御部１６が実行する撮像時の処理例を図７で説明する。
カメラマンの電源オン操作に応じて、制御部１６はステップＦ２００で撮像装置１０の電源オン処理を実行する。そして電源オンによる起動を完了したら、まずステップＦ２０１でプレビュー処理を開始する。即ち制御部１６は、撮像部１１、撮像信号処理部１２による撮像動作を実行させるとともに、得られた撮像画像データの各フレームを動画として表示部１３に供給させ、表示部１３でプレビュー表示を実行させる。
またこのプレビュー動作時には、撮像信号処理部１２から発光信号検出部１５に撮像画像データが供給されることになり、発光信号検出部１５は撮像画像データの解析処理を行って発光信号の検出処理を開始することになる。
【００４６】
制御部１６はステップＦ２０２で、現在が、検出時刻ｔから所定の時間ｔＲを経過しているか否かを判断する。検出時刻ｔとは、直近の過去においてステップＦ２０８の処理が行われた時刻であり、これは撮像禁止の撮像制御情報が得られた時刻として最も近い過去の時刻である。
所定の時間ｔＲとは、例えば固定的に設定された時間であり、検出時刻ｔから同一とされる撮像方向の撮像禁止制御を行う期間として設定される時間である。例えば５分、１０分、１時間、１２時間、２４時間などとしての或る時間が設定されている。
【００４７】
現在が、検出時刻ｔから時間ｔＲ以上経過していた場合は、制御部１６はステップＦ２０４で検出フラグをオフとするとともに、検出時刻ｔをリセットする。検出フラグとは、撮像禁止の撮像制御情報が得られた際にステップＦ２０８の処理でオンとされるフラグである。そしてステップＦ２０５に進む。
なお、ステップＦ２０２の時点で検出時刻ｔがリセット状態であり、特に有効な日時としての検出時刻ｔが記録されていなければ、ステップＦ２０２→Ｆ２０４→Ｆ２０５と進めばよい。
【００４８】
ステップＦ２０５，Ｆ２０６，Ｆ２０７では制御部１６は、発光信号検出部１５の検出処理に基づく判断を行う。
即ちまず制御部１６はステップＦ２０５では、発光信号検出部１５で発光信号が検出されたか否かを確認する。
またステップＦ２０６では、発光信号が検出された場合に、その発光信号に含まれている発光装置ＩＤが、上述したペアリング処理で登録された発光装置ＩＤであるか否かを確認する。
また、ステップＦ２０７では、発光信号が検出され、かつ発光装置ＩＤが登録ＩＤではなかった場合において、撮像制御ビット＝１であるか否かを確認する。
ステップＦ２０５で発光信号が検出されていないと判断した場合、又はステップＦ２０６でペアリング登録された発光装置ＩＤであると判断した場合、又はステップＦ２０７で撮像制御ビット＝１ではない（つまり撮像許可）と判断した場合は、ステップＦ２１０に進む。
ステップＦ２１０では、カメラマンがシャッタ操作を行ったか否かを確認し、シャッタ操作が行われていなければ、ステップＦ２０５に戻って、上記同様の判断処理を行う。
【００４９】
一方、発光信号が検出され、かつ発光装置ＩＤがペアリング登録されたものではなく、かつ撮像制御ビット＝１であった場合は、制御部１６はステップＦ２０８に進む。
この場合、制御部１６は検出フラグをオンとし、またこの時点の時刻（例えば年月日時分秒）を検出時刻ｔとして記憶する。さらに、この時点で方位計測部１８で検出される方位（撮像方向）を、発光信号の検出方向θとして記憶する。
そしてステップＦ２１０で、カメラマンがシャッタ操作を行ったか否かを確認し、シャッタ操作が行われていなければ、ステップＦ２０５に戻って、上記同様の判断処理を行う。
【００５０】
ステップＦ２１０でシャッタ操作を検出した場合、制御部１６は処理をステップＦ２１１に進め、この時点で発光信号が検出されているか否かを判断する。
発光信号が検出されている場合は、ステップＦ２１２で、その発光信号に含まれる発光装置ＩＤがペアリング登録されているものであるか否かを判断する。
さらに、発光信号が検出され、かつ発光装置ＩＤが登録ＩＤではなかった場合は、ステップＦ２１３で、撮像制御ビット＝１であるか否かを確認する。
ここで撮像制御ビット＝１（撮像禁止）であれば、シャッタ操作に応じた撮像制御（撮像画像データの記録制御）を行わずに、ステップＦ２１８に進んで表示部１３に「撮影禁止」のメッセージ表示（例えば図５（ｄ）の表示）を実行させてステップＦ２０２に戻る。つまり、シャッタ操作が行われたにも関わらずストレージ部１４での撮像画像データの記録を指示しないという撮像禁止制御を行う。例えば上記図５（ａ）のプレビュー状態のときにシャッタ操作が行われた場合などは、このように処理が進んで撮像が禁止されるものとなる。
【００５１】
一方、ステップＦ２１２でペアリング登録された発光装置ＩＤであると判断した場合は、撮像が禁止されるものではないため、制御部１６はステップＦ２１７に進んで、撮像実行制御を行う。即ちシャッタ操作に応じて、そのタイミングの１フレームの撮像画像データを、静止画としてストレージ部１４において記録させる制御を行う。この制御に基づいてストレージ部１４で静止画記録が行われる。そして制御部１６はステップＦ２０２に戻る。
また、ステップＦ２１３で、撮像制御ビット＝０（撮像許可）と判断された場合も、撮像が禁止されるものではないため、制御部１６はステップＦ２１７に進んで、撮像実行制御を行う。即ちシャッタ操作に応じて、そのタイミングの１フレームの撮像画像データを、静止画としてストレージ部１４において記録させる制御を行う。
【００５２】
ステップＦ２１０でシャッタ操作を検出した際には、ステップＦ２１１で発光信号が検出されないこともある。例えば上記図５（ｃ）で説明したような場合である。
その場合は、処理はステップＦ２１０からＦ２１４に進む。ステップＦ２１４では、制御部１６は検出フラグがオンであるか否かを確認する。
検出フラグがオンである場合とは、そのシャッタ操作時点より以前で、ペアリング登録されておらず撮像制御ビット＝１の発光信号が検出されていた場合である。
逆に検出フラグがオフであれば、シャッタ操作前にステップＦ２０８の処理に進まなかった場合である。つまり検出フラグがオフであれば、特に撮像禁止とはならない。そこで、検出フラグがオフであれば、ステップＦ２１７に進んで通常にシャッタ操作に応じた撮像画像データの記録処理を実行させる。
【００５３】
ステップＦ２１４で検出フラグがオンであった場合は、次にステップＦ２１５で、現在が検出時刻ｔから時間ｔＲを経過しているか否かを判断する。即ちステップＦ２０８で検出時刻ｔが記録された後、シャッタ操作が行われるまでの経過時間として、所定の時間ｔＲを経過しているか否かを判断する。
時間ｔＲ以上経過していたとされる場合は、検出フラグがオンとされた後、既に十分な期間が経過しており、撮像禁止とはしない。このためステップＦ２１７に進んで、通常にシャッタ操作に応じた撮像画像データの記録処理を実行させる。
なお、ステップＦ２０４で検出時刻ｔがリセットされた後、特に新たな検出時刻ｔがステップＦ２０８で記憶されていない場合は、「時間ｔＲ以上経過している」と判断すればよい。
【００５４】
ところがまだ時間ｔＲ以上経過していなければ、検出フラグがまだ有効であるとみなす。そしてステップＦ２１６に進んで、この時点で方位計測部１８で検出される現在の撮像方向θ’と、ステップＦ２０８で記憶した検出方向θとの差を確認する。
もし、検出方向θと現在の撮像方向θ’の差が角度θＲ以内であれば、現在の撮像方向θ’は検出方向θと同方向とみなすようにする。
そして、同方向と判断される場合は、シャッタ操作に応じた撮像制御（撮像画像データの記録制御）を行わずに、ステップＦ２１８に進んで表示部１３に「撮影禁止」のメッセージ表示（例えば図５（ｄ）の表示）を実行させてステップＦ２０２に戻る。つまり、シャッタ操作に関わらずストレージ部１４での撮像画像データの記録を指示しないという撮像禁止制御を行う。これは上記図５（ｃ）で述べた状態でシャッタ操作が行われた場合などの処理となる。
【００５５】
ステップＦ２１６で検出方向θと現在の撮像方向θ’の差が角度θＲより広く、現在の撮像方向θ’は検出方向θと同方向ではないと判断される場合、特に撮像禁止とはならないため、ステップＦ２１７に進んで、通常にシャッタ操作に応じた撮像画像データの記録処理を実行させる。
【００５６】
また、ステップＦ２０２で検出時刻ｔからｔＲ時間経過していないとされる場合は、制御部１６はステップＦ２０３でシャッタ操作を監視する。
もしシャッタ操作が行われた場合、ステップＦ２１６に進み、この時点で方位計測部１８で検出される現在の撮像方向θ’と、これ以前にステップＦ２０８で記憶した検出方向θとの差を確認する。
そして、現在の撮像方向θ’と検出方向θが同方向と判断される場合は、シャッタ操作に応じた撮像制御（撮像画像データの記録制御）を行わずに、ステップＦ２１８に進んで表示部１３に「撮影禁止」のメッセージ表示を実行させてステップＦ２０２に戻る。
また検出方向θと現在の撮像方向θ’の差が角度θＲより広く、現在の撮像方向θ’は検出方向θと同方向ではないと判断される場合、ステップＦ２１７に進んで、通常にシャッタ操作に応じた撮像画像データの記録処理を実行させる。
【００５７】
以上の図７の処理が行われることで、上述した撮像制御が実行されることになる。
即ち、撮像禁止を示す撮像制御情報を発光信号として出力している発光装置１を装着した人物は撮像装置１０によっては撮像（撮像画像データの記録処理）はできない。
また、発光装置１が撮像画像データに含まれない状況となっていても、発光装置１からの撮像禁止を示す撮像制御情報が検出されてから所定時間ｔＲ以内は、同一とされる撮像方向での撮像は禁止される。
但し、発光装置１を装着している人物が、発光装置１の禁止／許可設定スイッチ６を許可ポジションとしている場合や、撮像装置１０が、その発光装置１の発光装置ＩＤをペアリング処理により登録している場合は、その発光装置１を装着している人物を撮像できることになる。
【００５８】
［７．実施の形態の効果、変形例、及びプログラム］
以上の実施の形態によれば、発光装置１を装着した被写体側で、任意かつ容易に撮像装置１０による撮像（撮像画像信号の記録処理）を禁止させることができる。これにより例えば盗撮などで肖像権やプライバシーが侵害されるおそれのある人々が、自分の意思で撮像を制限することができるという効果がある。
また、ペアリング処理により特定の撮像装置１０に対して撮像を許可することも可能で、意志や状況に応じた適切な撮像禁止／許可の制御が実現ができる。
また、発光装置１は光のパルスパターンをもちいて撮像制御情報を送信出力するものであるために、撮像制御情報の送信に人体への悪影響は無い。
さらに指向性のある光を用いるために撮像禁止範囲を狭く制御する事ができ、必要以上に撮像装置１０での撮像を禁止するということにもならない。
【００５９】
本発明は、上記実施の形態に限られず、撮像装置１０の構成例や処理例、発光装置１の構成などとして各種の変形例が考えられる。
【００６０】
まず発光装置１としては、バッジ型として、人物が衣服等に装着できるものとしたが、この発光装置１の形態としては多様に考えられる。
例えばヘアピン型、ヘアアクセサリ型、イヤリング型、ネックレス型、ブローチ型、ブレスレット型、腕時計型、眼鏡型、ネクタイピン型、アームバンド型、指輪型などとして発光装置１を形成し、それぞれに応じた装着状態でユーザが装着できるようにしてもよい。
また既存の眼鏡、サングラス、アクセサリ、帽子、ヘッドホンなどに装着できるような構成としてもよい。
即ち発光装置１の形態は全く限定されず、人物が装着できる形式であればどのようなものでもよい。
【００６１】
また、発光装置１は人ではなく物品に取り付けてもよい。例えば絵画、工芸品などの美術品、音楽や映画などのソフトウエアのジャケット、書籍、ポスター、写真などに対して、無制限の撮像を禁止したい場合、それらの物品に発光装置１を取り付けるようにすればよい。或いは物品に発光装置１を内蔵するようにしてもよい。
これにより人物だけでなく、著作物や商品等を対象として撮像制限を行うことができるようになる。
【００６２】
撮像装置１０はデジタルスチルカメラとしての例を述べたが、動画撮像を行うビデオカメラとしても本発明は適用できる。ビデオカメラにより動画撮像を行う場合は、プレビュー時や、或いは動画撮像（動画記録）実行時において、撮像禁止の情報を含む発光信号を検出した時点で、撮像禁止（動画記録の禁止）処理として、その後の記録開始を禁止したり、或いは記録中であったら、その時点で動画記録を中断させるなどの処理を行えばよい。
また、本発明の撮像装置としては、デジタルスチルカメラ、ビデオカメラとしての機器だけでなく、携帯電話機やＰＤＡ（Personal Digital Assistant）、携帯用パーソナルコンピュータなどの機器であって、撮像装置としての機能を備えているものであれば適用できる。
【００６３】
また撮像装置１０における画像の記録処理としてはストレージ部１４に記録を行うものとして述べたが、撮像画像データを外部機器に送信することも、本発明でいう記録処理の一形態となる。
撮像装置が、例えば有線接続、無線接続で外部機器とデータ通信を行ったり、或いはインターネット、携帯電話通信網、ＰＨＳ通信網、アドホックネットワーク、ＬＡＮなどの各種ネットワーク通信を行う機器とされる場合において、それらの通信により撮像画像データを外部機器に送信し、外部機器側で撮像画像データが記録可能となる場合もある。そのため、発光装置１の発光信号として、撮像禁止の情報が含まれている場合は、そのような外部機器への撮像画像データの送信も、記録処理とみなして禁止制御することが適切となる。
【００６４】
また、撮像禁止制御とは、撮像画像データについての記録処理を実行させない処理であるとして述べたが、撮像禁止制御の例は、単に撮像画像データの記録を禁止する以外にも考えられる。例えば撮像禁止制御として、撮像画像データ内で、発光装置１を装着した人物等が写されている画素範囲について、ぼかし処理、モザイク処理、黒画像への置き換えなどの画像処理を行った上で記録させるということも、被写体の撮像を禁止するという範疇に含まれる。
【００６５】
実施の形態のプログラムは、上述した制御部１６の処理のプログラムである。即ち図６、図７の処理をマイクロコンピュータ（演算処理装置）である制御部１６に実行させるプログラムである。
このようなプログラムは、パーソナルコンピュータや、撮像装置等の機器に内蔵されている記録媒体としてのＨＤＤや、ＣＰＵを有するマイクロコンピュータ内のＲＯＭやフラッシュメモリ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、ブルーレイディスク、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウェアとして提供することができる。
また、プログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【図面の簡単な説明】
【００６６】
【図１】本発明の実施の形態の撮像システムの概要の説明図である。
【図２】実施の形態の発光装置の構成の説明図である。
【図３】実施の形態の撮像制御情報の説明図である。
【図４】実施の形態の撮像装置のブロック図である。
【図５】実施の形態の撮像制御動作の説明図である。
【図６】実施の形態のペアリング処理例のフローチャートである。
【図７】実施の形態の撮像時の処理例のフローチャートである。
【符号の説明】
【００６７】
１  発光装置、２  送出情報生成部、３  メモリ部、４  変調部、５  発光部、６  禁止／許可設定スイッチ、７  ペアリングスイッチ、１０  撮像装置、１１  撮像部、１２  撮像信号処理部、１３  表示部、１４  ストレージ部、１５  発光信号検出部、１６  制御部、１６ａ  メモリ部、１７  操作部、１８  方位計測部
【図１】
2008294654.tif 000003
【図２】
2008294654.tif 000004
【図３】
2008294654.tif 000005
【図４】
2008294654.tif 000006
【図５】
2008294654.tif 000007
【図６】
2008294654.tif 000008
【図７】
2008294654.tif 000009